(57)【特許請求の範囲】
【請求項１】
配線基板と、複数のヒューズと、前記ヒューズに接続する、両端に端子を備えた複数のヒューズ接続用端子部材と、前記複数のヒューズ接続用端子部材をヒューズハウジング本体に固定し、配線基板に接続されるヒューズハウジングと、前記ヒューズハウジング及び前記配線基板に被せられたヒューズカバーと、を備え、
前記ヒューズハウジングは、前記配線基板の所定の面上に取り付けられ、
前記ヒューズ接続用端子部材はＬ字形をなし、Ｌ字形の一方側の端子が前記配線基板に直角方向ではんだ接続されており、Ｌ字形の他方側の端子が、前記配線基板に対して平行となるように、前記ヒューズハウジングに貫通固定されており、
前記ヒューズハウジングを備えた２枚の前記配線基板を対向配置させて、１つのヒューズカバーに固定し、
前記ヒューズは、前記ヒューズカバーを貫通し、前記配線基板に対して平行となるように保持されて、前記ヒューズ接続用端子部材のＬ字形の他方側の端子に、前記配線基板に対して平行な方向に接続して、前記配線基板に前記ヒューズ接続用端子部材を介して電気的に接続されており、
前記ヒューズハウジング本体は、固定されるヒューズの個数にかかわらず共用化されることができることを特徴とする電気接続箱。
【発明の詳細な説明】
【０００１】
【発明の属する技術分野】
本発明は、配線基板およびヒューズなどを備えた自動車等の電気接続箱に関する。
【０００２】
【従来の技術】
従来、電気接続箱に用いられる小電流ヒューズは、例えば図３（ａ）に示すようなヒューズホルダー１を用いて配線基板に接続されている。このヒューズホルダー１は樹脂成形体に、配線基板に位置決めするための位置決めピン１ａと、配線基板と電気的に接続する端子１ｂ、およびヒューズの端子が挿入されるリセプタクル部１ｃを設けたものである。このヒューズホルダー１は、図３（ｂ）に示すように、小電流ヒューズ３の端子３ａのリセプタクル部１ｃへの挿入方向が配線基板２に平行になるように、配線基板２に組付けられる。
【０００３】
また、中電流ヒューズは、例えば図４に示すようなヒューズ接続端子４を用いて配線基板２に接続されている。このヒューズ接続端子４は配線基板２に起立するように半田付けして設けられたオス端子からなり、中電流ヒューズ５は配線基板２に垂直にヒューズ接続端子４に挿入される。
【０００４】
【発明が解決しようとする課題】
しかしながら、従来の電気接続箱用のヒューズホルダーには、次のような問題があった。即ち、
１）小電流ヒューズ３に対しては、一個のヒューズ３に対して一個のヒューズホルダー１を要し、ヒューズ３の数が増えると、部品点数が増えるとともに、ヒューズホルダー１の配線基板２への組付け工数も増える。
また、配線基板２にヒューズホルダー１を組付けるための多数の穴を開けると、配線基板２の配線パターン形成が困難になるとともに、配線基板２の強度が低下する。
さらに、配線パターン形成を容易にし、配線基板２の強度を保持するために、ヒューズホルダー１の組付けの間隔を広げると、配線基板２が大型化する。
【０００５】
２）中電流ヒューズ５をヒューズ接続端子４に挿抜すると、挿抜力がヒューズ接続端子４と配線基板２の半田付け部分に加わり、ヒューズ接続端子４と配線基板２の接続の信頼性を損なう恐れがある。
【０００６】
【課題を解決するための手段】
本発明は配線基板と、複数のヒューズと、前記ヒューズに接続する、両端に端子を備えた複数のヒューズ接続用端子部材と、前記複数のヒューズ接続用端子部材をヒューズハウジング本体に固定し、配線基板に接続されるヒューズハウジングと、前記ヒューズハウジング及び前記配線基板に被せられたヒューズカバーと、を備え、前記ヒューズハウジングは、前記配線基板の所定の面上に取り付けられ、前記ヒューズ接続用端子部材はＬ字形をなし、Ｌ字形の一方側の端子が前記配線基板に直角方向ではんだ接続されており、Ｌ字形の他方側の端子が、前記配線基板に対して平行となるように、前記ヒューズハウジングに貫通固定されており、
前記ヒューズハウジングを備えた２枚の前記配線基板を対向配置させて、１つのヒューズカバーに固定し、前記ヒューズは、前記ヒューズカバーを貫通し、前記配線基板に対して平行となるように保持されて、前記ヒューズ接続用端子部材のＬ字形の他方側の端子に、前記配線基板に対して平行な方向に接続して、前記配線基板に前記ヒューズ接続用端子部材を介して電気的に接続されており、前記ヒューズハウジング本体は、固定されるヒューズの個数にかかわらず共用化されることができることを特徴とするものである。
【０００７】
上述のように、本発明によれば、複数のヒューズ接続用端子部材を組付けたヒューズハウジングを配線基板に取り付けるため、配線基板に直接取り付ける部品点数が減り、取り付け工数も減る。
また、配線基板に設けるヒューズハウジング取り付け用などの穴の数は、従来のヒューズホルダーの数だけ設けていた穴の数に比較して少なくなり、配線基板の配線パターン形成が容易になるとともに、配線基板の強度の低下や大型化を招くこともなくなる。
さらに、前記ヒューズカバーを貫通し、前記配線基板に対して平行となるように保持されたヒューズは、一方側の端子が前記配線基板に直角方向ではんだ接続されたＬ字形の前記ヒューズ接続用端子部材の他方側の端子に、前記配線基板に対して平行な方向に接続して、前記配線基板に前記ヒューズ接続用端子部材を介して電気的に接続しているため、ヒューズの挿抜力やヒューズに加わる外力はヒューズハウジング本体とヒューズカバーに受け止められ、ヒューズ接続用端子部材と配線基板とのはんだ接続部に作用することはない。
【０００８】
【発明の実施の形態】
以下、図面に基づいて本発明の実施の形態を詳細に説明する。
図１は、本発明にかかる電気接続箱の一実施形態の分解斜視図である。図１において、図３、４に関して説明した部分と同部分は同符号で指示してある。
ヒューズハウジング１４は、小電流用のヒューズ接続用端子部材１１を組付けたヒューズハウジング本体１３ａと、中電流用ヒューズ接続用端子部材１２を組付けたヒューズハウジング本体１３ｂとからなる。なお、ヒューズハウジング本体１３ａ、１３ｂは一体に形成され、ヒューズハウジング本体１３を形成している。
小電流用のヒューズ接続用端子部材１１は、図２に示すように、Ｌ字形をして、両端に小電流ヒューズ３に接続する音叉形端子１１ａと、配線基板２にはんだ接続する端子１１ｂが形成されている。また、中電流用のヒューズ接続用端子部材１２はＬ字形をした板状のものである。
【０００９】
ヒューズカバー１８は、ヒューズハウジング本体１３に組付けられたヒューズ接続用端子部材１１、１２の配列に合わせて、ヒューズカバー本体１７に貫通穴（図示されず）部が設けられ、これらの貫通穴部に小電流用のヒューズ保持部品１５と中電流用のヒューズ保持部品１６を組付けたものである。
小電流用のヒューズ保持部品１５は、小電流ヒューズ３の形状に合わせたコの字形状をなしている。また、中電流用のヒューズ保持部品１６は、中電流ヒューズ５の形状に合わせた四角筒形状をしており、ヒューズ５の挿入側に拡がるようにテーパがついている。ヒューズ保持部品１５、１６は、ヒューズ３、５をヒューズ接続用端子部材１１、１２に接続する際にガイドするとともに、接続したヒューズ３、５を保持する。
【００１０】
ヒューズハウジング１４は、小電流ヒューズ３および中電流ヒューズ５の挿入方向が配線基板２面と平行になるように、配線基板２に取り付けられ、ヒューズ接続用端子部材１１、１２の配線基板２に接続する端子が配線基板２にはんだ付けされている。
ヒューズカバー１８は、対向するように配置された２枚の配線基板２に取り付けられた２個のヒューズハウジング１４にかぶせられ、ヒューズハウジング本体１３に取り付けられたヒューズ接続用端子部材１１、１２がヒューズカバー１８のヒューズ保持部品１５、１６を貫通する。
なお、ヒューズハウジング１４には位置決め用の穴（図示されず）が設けられており、また、ヒューズカバー１８には位置決め用のピン（図示されず）とロック爪（図示されず）が設けられており、前記穴に前記ピンをロックさせて、ヒューズハウジング１４にヒューズカバー１８を固定する。
小電流ヒューズ３および中電流ヒューズ５は、ヒューズ保持部品１５、１６に挿入、ガイドされてヒューズ接続用端子部材１１、１２の端子に接続し、保持される。なお、図１では、対向するように配置される同一配線パターンの２枚の配線基板２のうちの一枚を省略している。
【００１１】
上記実施形態によれば、配線基板２にはヒューズハウジング１４を取り付けるのみであり、取り付けに要する部品点数および工数が少なくなる。
また、それにともない、配線基板２に設ける取り付け用の穴の数も減るため、配線基板２の配線パターン形成が容易になるとともに、配線基板２の強度の低下や大型化を招くこともなくなる。
さらに、ヒューズ接続用端子部材１１、１２はヒューズハウジング本体１３に組付けられ、ヒューズ３、５はヒューズ保持部品１５、１６で保持されている。そのため、ヒューズ３、５のヒューズ接続用端子部材１１、１２への挿抜力やヒューズ３、５に加わる外力はヒューズハウジング本体１３やヒューズ保持部品１５、１６で受け止められ、ヒューズ接続用端子部材１１、１２と配線基板２とのはんだ接続部に作用することがなく、その接続部の信頼性が損なわれることもない。
【００１２】
なお、本実施形態では、対向配置される２枚の配線基板２は同一配線パターンで、ヒューズの使用個数は同じであるが、対向配置される２枚の配線基板のヒューズの使用個数が異なる場合でも、不要なヒューズ接続用端子部材をヒューズハウジング本体に組付けず、かつ、ヒューズカバーからも不要なヒューズ部品を除くことにより対応できるので、ヒューズハウジング本体を共用し、ヒューズハウジング本体作製用の金型費を削減することができる。
【００１３】
【発明の効果】
以上説明したように本発明によれば、配線基板に取り付ける部品点数および取り付け工数が減り、また、配線基板の配線パターン形成が容易になるとともに、配線基板の強度の低下や大型化を防ぎ、さらに、配線基板とのはんだ接続部の信頼性が向上するという優れた効果がある。
【図面の簡単な説明】
【図１】本発明にかかる電気接続箱の一実施形態の分解斜視図である。
【図２】ヒューズ接続用端子部材の斜視図である。
【図３】（ａ）、（ｂ）はそれぞれ、従来のヒューズホルダーの斜視図および前記ヒューズホルダーを配線基板に組付けた状態の斜視図である。
【図４】従来のヒューズ接続端子を配線基板に組付けた状態の斜視図である。
【符号の説明】
２                    配線基板
３、５                ヒューズ
１１、１２              ヒューズ接続用端子部材
１１ａ、１１ｂ          端子
１３、１３ａ、１３ｂ    ヒューズハウジング本体
１４                    ヒューズハウジング
１５、１６              ヒューズ保持部品
１７                    ヒューズカバー本体
１８                    ヒューズカバー
【図１】
0004297299.tif 000002
【図２】
0004297299.tif 000003
【図３】
0004297299.tif 000004
【図４】
0004297299.tif 000005